(57)【要約】【課題】  手に馴染んで持ち易く、省力的に傘本体を保持することができ、しかも、不使用時に収納袋内にしまう際にも確実に掛止することができる機能的な折り畳み傘のグリップハンドルを提供すること。【解決手段】  親骨２・２…の各折屈先端部21・21…に配設されたツメ部材21ａ・21ａ…を束ねてグリップハンドル３の基端部31に形成された引掛け溝31ａに掛止可能であって、かつ、先端部32から基端部31側に亙って周径が逓増するテーパーフランジ状に形成されており、略鉛直に縦立せしめて把持したとき、重心から鉛直方向にかかる荷重を当該テーパーフランジ部分の接触曲面によって広面積かつ均等に受けることができる一方、折り畳んだ状態において、基端部31のテーパーフランジ部分の細括部が収納袋４の口部に配設された留め具41を掛止して巻き止められ、傘本体を当該収納袋４内に確実に収容することができるようにした。【選択図】  図１
2005192936.tif 000002
【特許請求の範囲】
【請求項１】
伸縮自在な支軸１と親骨２・２…とを備えて構成され、これら親骨２・２…が折屈して折り畳みが可能な折り畳み傘における把持部分であって、
当該親骨２・２…の各折屈先端部21・21…に配設されたツメ部材21ａ・21ａ…を束ねてグリップハンドル３の基端部31に形成された引掛け溝31ａに掛止可能であって、かつ、先端部32から基端部31側に亙って周径が逓増するテーパーフランジ状に形成されており、
略鉛直に縦立せしめて把持したとき、重心から鉛直方向にかかる荷重を当該テーパーフランジ部分の接触曲面によって広面積かつ均等に受けることができる一方、
折り畳んだ状態において、基端部31のテーパーフランジ部分の細括部が収納袋４の口部に配設された留め具41を掛止して巻き止められ、傘本体を当該収納袋４内に確実に収容することができることを特徴とする折り畳み傘のグリップハンドル。
【請求項２】
グリップハンドル３の先端部32にはベルト把手ベルト33が配設されていることを特徴とする請求項１記載の折り畳み傘のグリップハンドル。
【請求項３】
収納袋４の口部に配設された留め具41として複数のスナップボタンが外周上に沿って列設されており、止着位置調節機能および装飾機能を具備したことを特徴とする請求項１または２記載の折り畳み傘のグリップハンドル。
【発明の詳細な説明】
【技術分野】
【０００１】
本発明は、折り畳み傘の改良、更に詳しくは、手に馴染んで持ち易く、省力的に傘本体を保持することができ、しかも、不使用時に収納袋内にしまう際にも確実に掛止することができる機能的な折り畳み傘のグリップハンドルに関するものである。
【背景技術】
【０００２】
周知のとおり、折り畳み傘は、曇天の空模様で降雨のおそれがある場合において、通常の傘に比べて嵩張らず、バッグ等に手軽に携帯できることから、非常に重用されているアイテムの一つである。
【０００３】
ところで、従来の折り畳み傘の持手部分たるグリップハンドルは、携帯性を維持するために、不可避的に小さ目のサイズにする必要があるなど、設計上にいくらかの制約が生じる。このように、機能性を反映した設計が優先されると、使用者の使い勝手などは等閑になってしまい、実際、かかる形状では、掌中への収まりが悪く、傘を安定的に差すために、使用者がしっかりと握り締めていなければならず、無用な力が要り、持っているだけでもすぐに手が疲れてしまうという不満がある（例えば、特許文献１参照）。
【０００４】
一方、不使用時には、通常、傘を折り畳んで収納袋にしまっておくけれども、この際、収納袋に確実にしまい込むことができずに、傘が収納袋から簡単に出してしまうと、濡れたままの状態にあっては非常に不都合である。
【特許文献１】特開2002−262914号公報  （第４頁、図４）
【発明の開示】
【発明が解決しようとする課題】
【０００５】
本発明は、従来の折り畳み傘に上記のような問題があったことに鑑みて為されたものであり、その目的とするところは、手に馴染んで持ち易く、省力的に傘本体を保持することができ、しかも、不使用時に収納袋内にしまう際にも確実に掛止することができる機能的な折り畳み傘のグリップハンドルを提供することにある。
【課題を解決するための手段】
【０００６】
本発明者が上記課題を解決するために採用した手段を添付図面を参照して説明すれば次のとおりである。
【０００７】
即ち、本発明は、伸縮自在な支軸１と親骨２・２…とを備えて構成され、これら親骨２・２…が折屈して折り畳みが可能な折り畳み傘における把持部分であって、
当該親骨２・２…の各折屈先端部21・21…に配設されたツメ部材21ａ・21ａ…を束ねてグリップハンドル３の基端部31に形成された引掛け溝31ａに掛止可能であって、かつ、先端部32から基端部31側に亙って周径が逓増するテーパーフランジ状に形成されており、
略鉛直に縦立せしめて把持したとき、重心から鉛直方向にかかる荷重を当該テーパーフランジ部分の接触曲面によって広面積かつ均等に受けることができる一方、
折り畳んだ状態において、基端部31のテーパーフランジ部分の細括部が収納袋４の口部に配設された留め具41を掛止して巻き止められ、傘本体を当該収納袋４内に確実に収容することができるようにするという技術的手段を採用した。
【０００８】
また、本発明は、上記課題を解決するために、必要に応じて上記手段に加え、グリップハンドル３の先端部32にはベルト把手ベルト33を配設するという技術的手段を採用した。      
【０００９】
更にまた、本発明は、上記課題を解決するために、必要に応じて上記手段に加え、収納袋４の口部に配設された留め具41として複数のスナップボタンが外周上に沿って列設されており、止着位置調節機能および装飾機能を付与するという技術的手段を採用した。
【発明の効果】
【００１０】
本発明にあっては、グリップハンドルの形状を先端部から基端部側に亙って周径が逓増するテーパーフランジ状に形成したことによって、折り畳み傘を差す際に、略鉛直に縦立せしめて把持したとき、重心から鉛直方向にかかる荷重を当該テーパーフランジ部分の接触曲面によって広面積かつ均等に受けることができることから、掌中にフィットして馴染み易く、手に受ける重みを分散させることにより、余分な力を入れなくとも、確実に保持して安定的に傘を差すことができるのである。
【００１１】
また、かかる形状によっては、折り畳み傘を折り畳んだ状態において、基端部31のテーパーフランジ部分の細括部が収納袋の口部に配設された留め具41を掛止して巻き止めることができる。従って、傘本体を収納袋内に確実に収容することができることから、非常に機能的であって使い勝手が良く、折り畳み傘としての実用的利用価値を頗る高めるものであると云える。
【発明を実施するための最良の形態】
【００１２】
本発明の実施形態を具体的に図示した図面に基いて更に詳細に説明すると次のとおりである。
【００１３】
本発明の実施形態を図１から図４に基いて説明する。図中、符号１で指示するものは支軸であり、この支軸１は略中間部位が伸縮自在に継合された軸芯部材である。また、符号２で指示するものは親骨であり、この親骨２は略中央で折屈可能であって、張り布を張支している。
【００１４】
符号３で指示するものはグリップハンドルであり、このグリップハンドル３の基端部31には引掛け溝31ａが形成され、かつ、先端部32から基端部31側に亙って周径が逓増するテーパーフランジ状に形成されている。そして、符号４で指示するものは傘本体を収容する収納袋であり、この収納袋４の口部に留め具41が配設されている。
【００１５】
しかして、本実施形態にあっては、図１に示すように、伸縮自在な支軸１と親骨２・２…とを備えて構成され、これら親骨２・２…が折屈して折り畳みが可能な折り畳み傘における把持部分であるグリップハンドルに以下のような特徴を有している。
【００１６】
まず、従前の折り畳み傘と同様に、前記親骨２・２…の各折屈先端部21・21…に配設されたツメ部材21ａ・21ａ…を束ねてグリップハンドル３の基端部31に形成された引掛け溝31ａに掛止可能である。そして、先端部32から基端部31側に亙って周径が逓増するテーパーフランジ状に形成されている（図２参照）。
【００１７】
このような形状に作製したことにより、当該折り畳み傘を差す際に、略鉛直に縦立せしめて把持したとき、重心から鉛直方向にかかる荷重を当該テーパーフランジ部分の接触曲面によって広面積かつ均等に受けることができる。
【００１８】
従って、掌中にフィットして馴染み易く、手に受ける重みを分散させることにより、余分な力を入れなくとも、確実に保持して安定的に傘を差すことができるのである（図３参照）。
【００１９】
更にまた、本実施形態のグリップハンドルが有する特徴の一つとしては、折り畳み傘を折り畳んだ状態において、基端部31のテーパーフランジ部分の細括部が収納袋４の口部に配設された留め具41を掛止して巻き止めることができることにある。従って、傘本体を当該収納袋４内に確実に収容することができるのである。
【００２０】
なお、本実施形態では、グリップハンドル３の先端部32にはベルト把手ベルト33を配設することができ、持ち運びに便利であり、また、デザイン的にもアクセントとなり得る。      
【００２１】
更にまた、本実施形態では、収納袋４の口部に配設された留め具41として複数のスナップボタンを外周上に沿って列設することができる。このスナップボタンとしては、オス部品とメス部品とから成る従来品を採用することができ、図４に示すように、オス部品の突起部分が外面側になるようにして列設することによって、止着位置調節機能を付与することができるとともに、装飾機能をも付与することができるのである。
【００２２】
本発明は、概ね上記のように構成されるが、本発明は図示の実施形態に限定されるものでは決してなく、「特許請求の範囲」の記載内において種々の変更が可能であって、例えば、収納袋４の口部に配設された留め具41としてはスナップボタンに限らず、ベルクロ式ファスナーなどを採用することも可能であり、本発明の技術的範囲に属する。
【図面の簡単な説明】
【００２３】
【図１】本発明の実施形態のグリップハンドルを備えた折り畳み傘を表わす全体斜視図である。
【図２】本発明の実施形態の折り畳み傘を折り畳んだ状態を表わす斜視図である。
【図３】本発明の実施形態の折り畳み傘の使用状態を表わす部分斜視図である。
【図４】本発明の実施形態の折り畳み傘を収納袋に収容した状態を表わす全体斜視図である。
【符号の説明】
【００２４】
１    支軸
２    親骨
21    折屈先端部
21ａ  ツメ部材
３    クリップハンドル
31    基端部
31ａ  引掛け溝
32    先端部
33    把手ベルト
４    収納袋
41    留め具
【図１】
2005192936.tif 000003
【図２】
2005192936.tif 000004
【図３】
2005192936.tif 000005
【図４】
2005192936.tif 000006